(57)【要約】【課題】燃料の充填情報を印字した伝票の発行後、燃料の払い戻し、あるいは伝票の再発行の際に、操作端末機からこれら作業を行うことができる燃料充填ステーションにおける伝票発行方法を提供する。【解決手段】燃料充填装置２に隣接する操作端末機３でキャンセル伝票発行モードおよび伝票再発行モードを選択できるように構成するとともに、操作端末機３からキャンセル伝票発行指令信号が入力されると、伝票番号に対応する伝票情報を削除し、伝票再発行指令信号が入力されると、その後入力される数量に応じた購入伝票を発行するように構成しているため、キャンセル伝票発行作業および伝票再発行作業を操作端末機で行うことができ、作業者は事務所と操作端末機３との間を往き来する必要がなくなる　。【選択図】図１
2004029966.tif 000002
【特許請求の範囲】
【請求項１】
充填ノズルを備えた燃料充填装置と、各種情報を入出力する操作端末機と、この操作端末機との間で各種情報を通信するとともに発行伝票の発行番号、伝票情報等各種情報を記憶する主記憶部を有するコンピュータとを備え、操作端末機に設けられた伝票印字装置により燃料充填装置からの充填情報を印字した伝票を発行するように構成した燃料充填ステーションにおいて、
操作端末機で充填作業モード、キャンセル伝票発行モードおよび伝票再発行モードを選択できるようにする一方、キャンセル伝票発行モード選択時に操作端末機から入力される伝票番号に応じて、記憶部に記憶された伝票情報を呼び出してこれを伝票印字装置に送ってキャンセル伝票を発行するように構成したことを特徴とする伝票発行方法。
【請求項２】
伝票再発行モード選択時伝票再発行指令信号を出力できるようにする一方、
伝票再発行モード時、操作端末機から数量情報が入力されると、この数量情報と記憶部に記憶された数量情報以外の伝票情報とをコンピュータ、伝票印字装置に送って新たな伝票を発行するように構成したことを特徴とする請求項１に記載の伝票発行方法。
【発明の詳細な説明】
【０００１】
【発明の属する技術分野】
本発明は、ＬＰガス、ガソリン等の燃料を自動車等の燃料タンクに充填する燃料充填ステーションの伝票発行方法に関する。
【０００２】
【従来の技術】
従来、燃料充填ステーションでは、自動車が燃料充填装置に隣接して設置された操作端末機近くに停止すると、充填ノズルを燃料タンクの注入口に接続した後、顧客用の磁気カードを用いて顧客情報が操作端末機で読み取られる。その後、希望の充填量設定値あるいは希望金額から算出された充填量設定値とともに、操作端末機から充填作業開始信号が燃料充填装置に送られると、充填作業が開始される。この燃料の充填量が所定の充填量設定値に達するか、満杯になって充填作業が完了すると、この時の充填量、価格等の充填情報が顧客情報とともに伝票情報として操作端末機に内蔵された伝票印字装置に送られ、これが伝票上に印字されるように構成されている。また、伝票情報は通信により操作端末機から離れた位置にある事務所内のコンピュータに送られ、その主記憶部に記憶され、これら情報から各種集計がなされるように構成されている。
【０００３】
【発明が解決しようとする課題】
この種の燃料充填ステーションでは、燃料のみの伝票発行は操作端末機で迅速に行えるが、伝票発行後、燃料の払い戻し、あるいは複数枚の伝票の再発行等がある場合には、都度作業者が事務所のコンピュータに繋がる操作部から、燃料の払い戻し、あるいは伝票の再発行の各作業用モードを選択して、伝票番号、数量等を入力した後、払い戻し伝票あるいは伝票の再発行を行わねばならない。そのため、作業者は事務所と自動車との間を往復しなければならず、その改善が要望されている。
【０００４】
本発明は、上記要望に鑑み発明されたもので、燃料の充填情報を印字した伝票の発行後、燃料の払い戻し、あるいは伝票の再発行の際に、操作端末機からこれら作業を行うことができる燃料充填ステーションにおける伝票発行方法を提供しようとするものである。
【０００５】
【課題を解決するための手段】
充填ノズルを備えた燃料充填装置と、各種情報を入出力する操作端末機と、この操作端末機との間で各種情報を通信するとともに発行伝票の発行番号、伝票情報等各種情報を記憶する主記憶部を有するコンピュータとを備え、操作端末機に設けられた伝票印字装置により燃料充填装置からの充填情報を印字した伝票を発行するように構成した燃料充填ステーションにおいて、
操作端末機で充填作業モード、キャンセル伝票発行モードおよび伝票再発行モードを選択できるようにする一方、キャンセル伝票発行モード選択時に操作端末機から入力される伝票番号に応じて、記憶部に記憶された伝票情報を呼び出してこれを伝票印字装置に送ってキャンセル伝票を発行するように構成されている
また、伝票再発行モード選択時伝票再発行指令信号を出力できるようにする一方、伝票再発行モード時、操作端末機から数量情報が入力されると、この数量情報と記憶部に記憶された数量情報以外の伝票情報とをコンピュータ、伝票印字装置に送って新たな伝票を発行するように構成してもよい。
【０００６】
【発明の実施の形態】
以下、図面に基づき本発明の実施の形態を説明する。図１において、１は自動車の燃料の一例のＬＰガスの燃料充填ステーションであり、自動車の燃料タンク（図示せず）に接続される充填ノズル２ａを備えた燃料充填装置２と、これに隣接して設置された操作端末機３と、操作端末機３から離れた位置にある事務所内に配置されたコンピュータ４とを有している。
【０００７】
前記燃料充填装置２は、自動車の燃料タンクへの充填ノズル２ａの接続が確認された後、充填作業開始信号が入力されると、開閉弁（図示せず）を開いて、燃料タンク内にＬＰガスを充填するように構成されている。また、燃料充填装置２は、後記する充填量設定値に達するか、または充填ノズル２ａに付設のセンサ（図示せず）から燃料タンクが満杯になったという信号を受けると開閉弁を閉じて充填を終え、この時の燃料名および充填量でなる充填情報を充填完了信号とともに操作端末機３に出力するように構成されている。
【０００８】
前記コンピュータ４は在庫燃料情報、発行伝票の伝票番号、顧客情報および充填情報からなる伝票情報、燃料単価等各種情報を記憶する主記憶部（図示せず）を有し、常時は付設のキーボード（図示せず）から各種指令信号を入力して所望の処理作業を行う一方で、操作端末機３から伝票情報を受けると、これを伝票番号とともに記憶部で記憶した後、伝票登録確認信号を操作端末機３に送信するように構成されている。また、このコンピュータ４は、後記するキャンセル伝票発行モード時操作端末機３からの伝票番号と伝票情報取消し指令信号を受信すると、割り込み制御により、伝票番号に対応した顧客情報および充填情報を主記憶部から削除した後、伝票情報取消し確認信号を操作端末機３に送信するように構成されている。さらに、このコンピュータ４は操作端末機３から顧客情報を受信すると、この顧客情報から後記する磁気カード（図示せず）の有効性を判断してこれが有効である時には、有効確認信号を操作端末機３に送るように構成されている。しかも、このコンピュータ４は操作端末機３から顧客情報とともに充填情報を受信すると、後続の情報を受信しながらこれら情報を伝票番号とともに伝票情報として主記憶部で記憶するように構成されている。なお、磁気カードが無効と判断された時には、無効表示指令信号が操作端末機３に送信される。
【０００９】
前記操作端末機３は、制御部３ｂと、制御部３ｂに各種指令信号を送る操作部３ａと、各種情報を一時記憶する記憶部３ｃと、磁気カード読み取り部３ｄと、表示部３ｅと、伝票印字装置３ｆとから構成されている。前記操作部３ａは、充填作業モード、キャンセル伝票発行モード、伝票再発行モードのいずれかが選択できるように構成されており、充填作業モード時には操作部３ａからの充填作業開始信号を燃料充填装置２に出力するように構成されている。また、操作部３ａはキャンセル伝票発行モード時には、キャンセル伝票発行指令信号を、伝票再発行モード時には伝票再発行指令信号を出力できるように構成されている。
【００１０】
前記伝票印字装置３ｆは顧客情報および充填情報でなる伝票情報を受けると、ただちにこれら情報に基づいた燃料の購入伝票を発行するように構成されている。また、この伝票印字装置３ｆは前記情報を印字中も、次の情報を一時記憶でき、先着の情報に基づく伝票発行が完了すると、続いて次の情報に基づく伝票を発行するように構成されている。
【００１１】
前記制御部３ｂは、磁気カード読み取り部３ｄに磁気カードが挿入されると、磁気カードに記憶された顧客情報をコンピュータ４に送り、コンピュータ４からの磁気カードの有効確認信号を受けた後、顧客情報を記憶部３ｃで一時記憶する一方、操作部３ａからの充填作業開始信号あるいは後記する燃料の数量の入力を待つように構成されている。また、制御部３ｂは充填作業モード時には、操作端末機３の操作部３ａから入力される所定の充填量設定値、もしくは所定の充填金額から算出される充填量設定値あるいは満杯設定の設定情報を待ち、充填作業開始信号が操作部３ａから入力されると同時に、この設定情報を燃料充填装置２に送るとともに、表示部３ｅで表示するように構成されている。しかも、この制御部３ｂは燃料充填装置２から充填完了信号を受けると、その時の燃料の単価、充填量、価格等でなる充填情報を記憶部３ｃに記憶する一方で、この充填情報を顧客情報とともに伝票印字装置３ｆ、コンピュータ４に送信するように構成されている。
【００１２】
さらに、この制御部３ｂはキャンセル伝票発行モード時には、図２に示すように、
１）伝票番号が入力されるのを待つ。
２）伝票番号が記憶部に記憶されているかを判断し、これがない時、１）に戻る。
３）記憶部に記憶されている伝票番号に対応した伝票情報を表示部で表示する。
４）作業中止信号の入力の有無を判断し、これが入力されている時、８）にジャンプする。
５）キャンセル伝票発行指令信号を待ち、これがない時、４）に戻る。
６）伝票情報を伝票印字装置に送るとともに、コンピュータに伝票番号と伝票情報取消し指令信号とを送信する。
７）コンピュータからの伝票情報取り消し確認信号を待つ。
８）リターン。
となるように構成されている。
また、制御部３ｂは伝票再発行時には、磁気カード読み取り部３ｄに磁気カードが挿入され、顧客情報が読み込まれた後、伝票再発行モードが選択されると、図３に示すように、
１）作業中止信号の入力の有無を判断し、これが入力されている時、６）にジャンプする。
２）数量入力を待つ。
３）伝票再発行指令信号を待ち、これがない時、１）に戻る。
４）顧客情報と、燃料名と、入力された数量とをコンピュータと伝票発行装置とに送る。
５）伝票情報登録確認信号の入力を待つ。
６）リターン。
となるように構成されている。
【００１３】
上記燃料充填ステーションにおいて、燃料充填装置２近くに停止する自動車の燃料タンクに充填ノズル２ａが接続された後、磁気カードがカード読み取り装置３ｄに挿入され、磁気カード内の顧客情報が読み取られる。この顧客情報がコンピュータ４に送られ、コンピュータ４から磁気カードの有効確認信号を待って、この顧客情報が記憶部３ｃに一時記憶される。その後、操作端末機３の操作部３ａで充填作業モードが選択されるとともに、所定の充填量設定値（充填金額の入力がある時にはこれから算出される充填量設定値または満杯設定）が設定情報として入力される。この状態で、操作部３ａで充填作業開始信号が入力されると、前記設定値が燃料充填装置２に送られ、開閉バルブが開き、燃料が設定情報に応じた量だけ充填される。その後、燃料の充填量が希望の設定値あるいは満杯になり、開閉バルブが閉止されて燃料充填装置２から充填完了信号が出力されることがあると、操作部３ａで選択されたモードに関係なく、その時の充填量、記憶部３ｃに一時記憶された燃料名および単価でなる充填情報が顧客情報とともに伝票印字装置３ｆおよびコンピュータ４に送信される。そのため、伝票印字装置３ｆはこれら情報に基づいて購入伝票を発行することができる。また、コンピュータ４は操作端末機３からこれら情報を受けると、これらを伝票情報として伝票番号とともに主記憶部に記憶する。
【００１４】
一方、燃料充填作業中あるいは待機中にすでに発行した購入伝票をキャンセルして、新たに複数枚の伝票を発行するような場合には、操作部３ａでキャンセル伝票発行モードが選択される。その後、操作部３ａで伝票番号が入力されると、この伝票番号が記憶部３ｃで記憶されているかを確認し、これが記憶されている場合、この伝票番号に対応する伝票情報が表示部３ｅで表示される。前記伝票番号に対応する伝票番号が記憶されてない場合、入力不良として再入力表示がされる。この状態で、操作部３ａでキャンセル伝票発行指令信号が入力されると、伝票情報取消し指令信号が伝票番号とともにコンピュータ４に送信される。コンピュータ４は伝票番号に応じた伝票情報を削除するとともに、伝票情報取消し確認信号を操作端末機３に送信する。
【００１５】
その後、取り消した伝票情報に対応する複数枚の伝票を発行する場合には、充填時と同様に、カード読み取り部３ｄに磁気カードが挿入された後、操作部３ａで伝票再発行モードが選択される。続いて、操作部３ａで数量が入力され、さらに伝票発行指令信号が入力されると、伝票情報がコンピュータ４と伝票印字装置３ｆとに送信され、これら情報がコンピュータ４で記憶されるとともに、伝票印字装置３ｆで再発行伝票が発行される。この伝票の再発行作業を再発行伝票枚数に応じて繰り返し、伝票再発行作業が終了する。
【００１６】
なお、前記購入数量が操作端末機３で入力される代わりに、作業中止信号が入力されると、ただちに伝票再発行作業を終了することができる。
【００１７】
【発明の効果】
以上説明したように、本発明は燃料充填装置に隣接する操作端末機でキャンセル伝票発行モードおよび伝票再発行モードを選択できるように構成するとともに、操作端末機からキャンセル伝票発行指令信号が入力されると、伝票番号に対応する伝票情報を削除し、伝票再発行指令信号が入力されると、その後入力される数量に応じた購入伝票を発行するように構成しているため、キャンセル伝票発行作業および伝票再発行作業を操作端末機で行うことができ、作業者は事務所と操作端末機との間を往き来する必要がなくなる等の利点がある。
【図面の簡単な説明】
【図１】本発明の構成を示す概略ブロック図である。
【図２】本発明に係る制御部のキャンセル伝票発行モードの動作を説明するフローチャートである。
【図３】本発明に係る制御部の伝票再発行モードの動作を説明するフローチャートである。
【符号の説明】
１　燃料充填ステーション
２　燃料充填装置
２ａ　充填ノズル
３　操作端末機
３ａ　操作部
３ｂ　制御部
３ｃ　記憶部
３ｄ　磁気カード読み取り部
３ｅ　表示部
３ｆ　伝票印字装置
４　コンピュータ
【図１】
2004029966.tif 000003
【図２】
2004029966.tif 000004
【図３】
2004029966.tif 000005